(57)【特許請求の範囲】
【請求項１】
硬貨及び紙幣を通過させる第１開口と、前記第１開口からの硬貨及び前記第１開口からの紙幣を収受する収受空間と、前記収受空間内の硬貨を通過させる第２開口と、前記収受空間内の紙幣を通過させる第３開口とを有する収受部と、
前記第２開口に通じており、前記収受空間からの硬貨を収容する第１収容部と、
前記第３開口に通じており、前記収受空間からの紙幣を収容する第２収容部と、
を備え、
前記第１開口からの硬貨を前記第２開口に向けて通過させ、前記第１開口からの紙幣を前記第３開口に向けて搬送する案内部材を備え、
前記第２開口は、前記収受空間に向かって上方を向いた第１部分を有し、
前記案内部材は、前記第１開口からの硬貨を通過させる第４開口を有し、
前記第１開口からの硬貨は、前記第４開口を介して前記第２開口の前記第１部分に案内され、
前記第２開口は、前記収受空間に向かって側方を向いた第２部分を有し、
前記案内部材は、前記第１開口からの紙幣が載せられる第１面を有し、
前記第１開口からの硬貨は、前記第１面を介して前記第２開口の前記第２部分に案内される現金処理装置。
【請求項２】
硬貨及び紙幣を通過させる第１開口と、前記第１開口からの硬貨及び前記第１開口からの紙幣を収受する収受空間と、前記収受空間内の硬貨を通過させる第２開口と、前記収受空間内の紙幣を通過させる第３開口とを有する収受部と、
前記第２開口に通じており、前記収受空間からの硬貨を収容する第１収容部と、
前記第３開口に通じており、前記収受空間からの紙幣を収容する第２収容部と、
を備え、
前記第１開口からの硬貨を前記第２開口に向けて通過させ、前記第１開口からの紙幣を前記第３開口に向けて搬送する案内部材を備え、
前記第２開口は、前記収受空間に向かって上方を向いた第１部分を有し、
前記案内部材は、前記第１開口からの硬貨を通過させる第４開口と、前記第４開口を画定する部材と、を有し、
前記第４開口を確定する前記部材が動くことにより、前記紙幣は前記第３開口に向けて搬送され、
前記第１開口からの硬貨は、前記第４開口を介して前記第２開口の前記第１部分に案内される現金処理装置。
【請求項３】
請求項１又は２に記載の現金処理装置において、
前記第４開口は、第１延伸部材及び前記第４開口を挟んで前記第１延伸部材と並ぶ第２延伸部材によって画定されており、
前記第１延伸部材の上端は、前記第２延伸部材の上端よりも高い位置にある現金処理装置。
【請求項４】
請求項３に記載の現金処理装置において、
前記第１延伸部材の上端及びその近傍の幅は、前記第１延伸部材の下端に向かうにつれて広がっており、
前記第２延伸部材の上端及びその近傍の幅は、前記第２延伸部材の下端に向かうにつれて広がっている現金処理装置。
【請求項５】
請求項３又は４に記載の現金処理装置において、
前記第１延伸部材及び前記第２延伸部材の少なくとも一方に振動を与える振動部を備える現金処理装置。
【請求項６】
請求項５に記載の現金処理装置において、
前記第４開口の周辺に硬貨が位置するか否かを検出する検出部を備え、
前記振動部は、前記検出部が硬貨を検出したとき、前記第１延伸部材及び前記第２延伸部材の少なくとも一方に振動を与える現金処理装置。
【請求項７】
請求項１又は２に記載の現金処理装置において、
前記第２開口及び前記第３開口は、前記収受空間に向かって上方を向いており、
前記第１開口からの紙幣を前記第２開口の上方から前記第３開口の上方まで案内する案内路を備える現金処理装置。
【請求項８】
請求項７に記載の現金処理装置において、
前記案内路内と前記案内路外の間で移動可能な遮断部を備え、
前記遮断部が前記案内路内にある場合、前記第１開口と前記第３開口は、前記遮断部を挟んで互いに隔てられる現金処理装置。
【請求項９】
請求項７又は８に記載の現金処理装置において、
前記第２開口は、第１延伸部材及び前記第２開口を挟んで前記第１延伸部材と並ぶ第２延伸部材によって画定されており、
前記第１延伸部材の上端は、前記第２延伸部材の上端よりも高い位置にある現金処理装置。
【請求項１０】
請求項９に記載の現金処理装置において、
前記第１延伸部材の上端及びその近傍の幅は、前記第１延伸部材の下端に向かうにつれて広がっており、
前記第２延伸部材の上端及びその近傍の幅は、前記第２延伸部材の下端に向かうにつれて広がっている現金処理装置。
【請求項１１】
請求項９又は１０に記載の現金処理装置において、
前記第１延伸部材及び前記第２延伸部材の少なくとも一方に振動を与える振動部を備える現金処理装置。
【請求項１２】
請求項１１に記載の現金処理装置において、
前記第２開口の周辺に硬貨が位置するか否かを検出する検出部を備え、
前記振動部は、前記検出部が硬貨を検出したとき、前記第１延伸部材及び前記第２延伸部材の少なくとも一方に振動を与える現金処理装置。
【発明の詳細な説明】
【技術分野】
【０００１】
本発明は、現金処理装置に関する。
【背景技術】
【０００２】
現金の収受又は現金の引渡しを自動的に行うために、現金処理装置が用いられることがある。このような現金処理装置は、例えば、精算装置又は現金自動預け払い機に用いられる。特許文献１〜４に記載されているように、現金処理装置は、硬貨用開口及び紙幣用開口を有している。外部からの硬貨は、硬貨用開口を介して現金処理装置の内部に収容される。外部からの紙幣は、紙幣用開口を介して現金処理装置の内部に収容される。
【０００３】
特許文献１に記載の現金処理装置では、硬貨用開口及び紙幣用開口がいずれも水平方向を向いている。さらに、硬貨用開口及び現金用開口は、鉛直方向に隣接している。このように特許文献１では、硬貨用開口と紙幣用開口が互いに近接している。
【先行技術文献】
【特許文献】
【０００４】
【特許文献１】特開平８−１６１５５７号公報
【特許文献２】特開平９−７０２６号公報
【特許文献３】欧州特許出願公開第２７４７０１８号明細書
【特許文献４】米国特許出願公開第２００７／０１２５８４９号明細書
【発明の概要】
【発明が解決しようとする課題】
【０００５】
現金処理装置では、硬貨用開口と紙幣用開口がある場合、例えば紙幣用開口に硬貨を誤って投入すると、現金処理装置の故障を招くことがある。本発明者は、現金処理装置のユーザが硬貨用開口及び紙幣用開口のいずれに現金を投入すべきかを決定しなくても済むようにすることを検討した。
【０００６】
本発明の目的は、現金処理装置のユーザが硬貨用開口及び紙幣用開口のいずれに現金を投入すべきかを決定しなくても済むようにすることにある。
【課題を解決するための手段】
【０００７】
本発明によれば、
硬貨及び紙幣を通過させる第１開口と、前記第１開口からの硬貨及び前記第１開口からの紙幣を収受する収受空間と、前記収受空間内の硬貨を通過させる第２開口と、前記収受空間内の紙幣を通過させる第３開口とを有する収受部と、
前記第２開口に通じており、前記収受空間からの硬貨を収容する第１収容部と、
前記第３開口に通じており、前記収受空間からの紙幣を収容する第２収容部と、
を備え、
前記第１開口からの硬貨を前記第２開口に向けて通過させ、前記第１開口からの紙幣を前記第３開口に向けて搬送する案内部材を備える現金処理装置が提供される。
【発明の効果】
【０００８】
本発明によれば、現金処理装置のユーザが硬貨用開口及び紙幣用開口のいずれに現金を投入すべきかを決定しなくても済むようになる。
【図面の簡単な説明】
【０００９】
【図１】第１の実施形態に係る現金処理装置を示す斜視図である。
【図２】図１に示した現金処理装置を上方から見た図である。
【図３】図２のＡ−Ａ´断面図である。
【図４】図２のＢ−Ｂ´断面図である。
【図５】図３に示した収受部の詳細を説明するための図である。
【図６】図３に示した収受部の詳細を説明するための図である。
【図７】図１〜図６に示した現金処理装置の動作を説明するための図である。
【図８】図１〜図６に示した現金処理装置の動作を説明するための図である。
【図９】図１〜図６に示した現金処理装置の動作を説明するための図である。
【図１０】第２の実施形態に係る現金処理装置を示す斜視図である。
【図１１】図１０に示した現金処理装置１０を上方から見た図である。
【図１２】図１１のＡ−Ａ´断面図である。
【図１３】図１１のＢ−Ｂ´断面図である。
【図１４】図１０〜図１３に示した現金処理装置の動作を説明するための図である。
【図１５】図１０〜図１３に示した現金処理装置の動作を説明するための図である。
【図１６】図１０〜図１３に示した現金処理装置の動作を説明するための図である。
【図１７】第３の実施形態に係る精算システムを示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（第１の実施形態）
図１は、第１の実施形態に係る現金処理装置１０を示す斜視図である。図２は、図１に示した現金処理装置１０を上方から見た図である。図３は、図２のＡ−Ａ´断面図である。図４は、図２のＢ−Ｂ´断面図である。図５及び図６は、図３に示した収受部１０２の詳細を説明するための図である。図５に示す例において、案内部材１４０は、第１位置にある。図６に示す例において、案内部材１４０は、第２位置にある。
【００１２】
図１〜図６に示すように、現金処理装置１０は、収受部１０２、第１収容部１２０、第２収容部１３０及び案内部材１４０を備えている。収受部１０２は、収受空間１１０、第１開口１１２、第２開口１１４及び第３開口１１６を有している。第１開口１１２は、硬貨及び紙幣を通過させる。収受空間１１０は、第１開口１１２からの硬貨及び第１開口１１２からの紙幣を収受する。第２開口１１４は、収受空間１１０内の硬貨を通過させる。第３開口１１６は、収受空間１１０内の紙幣を通過させる。第１収容部１２０は、第２開口１１４に通じている。第１収容部１２０は、収受空間１１０からの硬貨を収容する。第２収容部１３０は、第３開口１１６に通じている。第２収容部１３０は、収受空間１１０からの紙幣を収受する。案内部材１４０は、第１開口１１２からの硬貨を第２開口１１４に向けて通過させる。案内部材１４０は、第１開口１１２からの紙幣を第３開口１１６に向けて搬送する。以下、詳細に説明する。
【００１３】
図３に示すように、筐体１００は、収受部１０２及び収容部１０４を備えている。本図に示す例において、収受部１０２は筐体１００の前部であり、収容部１０４は筐体１００の後部である。収受部１０２は、収受空間１１０、第１開口１１２、第２開口１１４及び第３開口１１６を有している。収容部１０４は、第１収容部１２０及び第２収容部１３０を有している。なお、図３に示す例において、第２収容部１３０は、第１収容部１２０の上方に位置している。
【００１４】
図３、図５及び図６に示す例において、第２開口１１４は、第１部分１１４ａ及び第２部分１１４ｂを有している。第１部分１１４ａは、収受空間１１０に向かって上方を向いている。第２部分１１４ｂは、収受空間１１０に向かって側方を向いている。図３、図５及び図６に示す例において、第１部分１１４ａ及び第２部分１１４ｂは、互いに接続している。ただし、第１部分１１４ａ及び第２部分１１４ｂは、例えば収受部１０２の内壁によって互いに隔てられていてもよい。図３、図５及び図６に示す例では、図５に示すように案内部材１４０が第１位置にある場合、第１部分１１４ａと第２部分１１４ｂは、案内部材１４０を挟んで互いに隔てられる。
【００１５】
収受空間１１０は、第１開口１１２を介して外部空間と通じている。第１開口１１２は、ある程度の大きさを有し、具体的には、硬貨及び紙幣のいずれであっても第１開口１１２を通過可能な大きさを有している。このため、ユーザは、第１開口１１２を介して硬貨及び紙幣を収受空間１１０に投入することができる。
【００１６】
第１収容部１２０は、第２開口１１４（第１部分１１４ａ及び第２部分１１４ｂ）及び第１搬送路１２２を介して収受空間１１０に通じている。案内部材１４０が第１位置（図５）にある場合、収受空間１１０内の硬貨が第２開口１１４の第１部分１１４ａ又は第２部分１１４ｂを通過する。第２開口１１４からの硬貨は、第１搬送路１２２（例えば、ベルトコンベア）によって第１収容部１２０に搬送される。このようにして、収受空間１１０内の硬貨が第１収容部１２０に収容される。
【００１７】
第２収容部１３０は、第３開口１１６及び第２搬送路１３２を介して収受空間１１０に通じている。案内部材１４０が第２位置（図６）にある場合、収受空間１１０内の紙幣が第３開口１１６を通過する。第３開口１１６からの紙幣は、第２搬送路１３２（例えば、ベルトコンベア）によって第２収容部１３０に搬送される。このようにして、収受空間１１０内の紙幣が第２収容部１３０に収容される。
【００１８】
図５及び図６に示すように、案内部材１４０は、収受空間１１０内にある。案内部材１４０は、水平面に交わる方向、具体的には鉛直方向に移動可能となっている。案内部材１４０は、第１位置（図５）と第２位置（図６）の間で移動可能である。第２位置は、第１位置よりも第３開口１１６の近くにある。
【００１９】
図１、図２及び図４に示すように、案内部材１４０は、複数の開口１４２（第４開口）及び複数の延伸部材１４４を有している。複数の延伸部材１４４は、互いに平行に並んでいる。図４に示すように、複数の延伸部材１４４は、第１延伸部材１４４ａ及び第２延伸部材１４４ｂを含んでいる。第１延伸部材１４４ａ及び第２延伸部材１４４ｂは、開口１４２を挟んで並んでいる。このようにして、開口１４２は、第１延伸部材１４４ａ及び第２延伸部材１４４ｂによって画定されている。
【００２０】
図４に示すように、第１延伸部材１４４ａの上端は、第２延伸部材１４４ｂの上端よりも高い位置にある。より詳細には、図４に示す例では、第２延伸部材１４４ｂの上端は、第１延伸部材１４４ａの下端よりも低い位置にある。このため、硬貨が第１延伸部材１４４ａ及び第２延伸部材１４４ｂを跨っても、硬貨は斜めに傾く。このため、硬貨が第１延伸部材１４４ａと第２延伸部材１４４ｂの間に留まることが抑制される。なお、紙幣は、複数の第１延伸部材１４４ａを跨って案内部材１４０上に載る。これにより、紙幣が開口１４２を通過することが抑制される。
【００２１】
さらに、図４に示すように、各延伸部材１４４の上端及びその近傍の幅は、延伸部材１４４の下端に向かうにつれて広がっている。図４に示す例では、延伸部材１４４の断面形状は、丸みを帯びた三角形である。このため、硬貨が延伸部材１４４の上に載ったとしても、硬貨は水平方向から傾くようになる。このため、硬貨が延伸部材１４４の上に留まることが抑制される。
【００２２】
図４に示す例では、現金処理装置１０は、検出部１５２、振動部１５４及び制御部１５６を備えている。検出部１５２は、開口１４２の近傍に硬貨が位置するか否かを検出する。検出部１５２は、例えば赤外線センサである。振動部１５４は、延伸部材１４４に振動を与える。振動部１５４は、例えばモータである。制御部１５６は、振動部１５４を制御している。制御部１５６は、例えば電子回路である。制御部１５６は、検出部１５２が硬貨を検出したときは、振動部１５４を動作させる。これにより、開口１４２の周辺に硬貨が留まっていたとしても、その硬貨を開口１４２の下に落とすことができる。
【００２３】
図７〜図９は、図１〜図６に示した現金処理装置１０の動作を説明するための図である。まず、図７に示すように、案内部材１４０を第３開口１１６から離れた位置、すなわち第１位置に位置させる。本図において、案内部材１４０の上面（第１面）は、第２開口１１４の第２部分１１４ｂに向けて下方に傾いている。次いで、第１開口１１２から収受空間１１０に硬貨Ｃ及び紙幣Ｂを投入する。これにより、紙幣Ｂは、案内部材１４０の上面上に載る。本図に示す例では、紙幣Ｂは、紙幣Ｂの長辺が第２開口１１４の第２部分１１４ｂに対向するように案内部材１４０の上面上に載る。一方、紙幣Ｂの下方の硬貨Ｃ（硬貨Ｃ１）は、案内部材１４０の開口１４２を通過して第２開口１１４の第１部分１１４ａに案内される。これに対して、紙幣Ｂの上方の硬貨Ｃ（硬貨Ｃ２）は、紙幣Ｂ（案内部材１４０の上面）の上を滑って第２開口１１４の第２部分１１４ｂに案内される。
【００２４】
なお、図１に示したように、第２開口１１４の第２部分１１４ｂは、互いに隣接する延伸部材１１５によって画定されている。案内部材１４０の上面上の紙幣Ｂは、複数の延伸部材１１５を跨るようになる。このため、紙幣Ｂが第２部分１１４ｂを通過することが抑制される。
【００２５】
次いで、図８に示すように、案内部材１４０を上方に移動させる。これにより、紙幣Ｂが上方に搬送される。
【００２６】
次いで、図９に示すように、案内部材１４０は、第３開口１１６の近傍の位置、すなわち第２位置に位置するようになる。次いで、紙幣Ｂを例えばローラによって第３開口１１６の内部に導入する。
【００２７】
以上、本実施形態によれば、収受空間１１０内の硬貨は、第２開口１１４を介して第１収容部１２０に収容される。これに対して、収受空間１１０内の紙幣は、第３開口１１６を介して第２収容部１３０に導入される。このため、収受空間１１０内に硬貨及び紙幣の双方を投入しても、硬貨及び紙幣を収容部１０４内に収容することができる。
【００２８】
さらに、本実施形態によれば、収受空間１１０内の硬貨は、案内部材１４０の開口１４２を介して第２開口１１４の第１部分１１４ａに案内される。さらに、硬貨が第２開口１１４の第１部分１１４ａに案内されなかったとしても（例えば、硬貨が案内部材１４０の上面上の紙幣の上に載ったとしても）、硬貨は、第２開口１１４の第２部分１１４ｂに案内される。さらに、紙幣は、案内部材１４０によって第３開口１１６に案内される。
【００２９】
（第２の実施形態）
図１０は、第２の実施形態に係る現金処理装置１０を示す斜視図であり、第１の実施形態の図１に対応する。図１１は、図１０に示した現金処理装置１０を上方から見た図であり、第１の実施形態の図２に対応する。図１２は、図１１のＡ−Ａ´断面図であり、第１の実施形態の図３に対応する。図１３は、図１１のＢ−Ｂ´断面図であり、第１の実施形態の図４に対応する。本実施形態に係る現金処理装置１０は、以下の点を除いて、第１の実施形態に係る現金処理装置１０と同様である。
【００３０】
図１２に示すように、第２開口１１４及び第３開口１１６は、収受空間１１０に向かって上方を向いている。現金処理装置１０（収受部１０２）は、案内路１６２を有している。案内路１６２は、第２開口１１４の上方から第３開口１１６の上方まで紙幣を案内する。
【００３１】
図１３に示すように、第２開口１１４は、第１の実施形態の開口１４２（図４）と同様にして、延伸部材１６４によって画定されている。詳細には、収受部１０２は、複数の第２開口１１４及び複数の延伸部材１６４を有している。複数の延伸部材１６４は、互いに平行に並んでいる。図１３に示すように、複数の延伸部材１６４は、第１延伸部材１６４ａ及び第２延伸部材１６４ｂを含んでいる。第１延伸部材１６４ａ及び第２延伸部材１６４ｂは、第２開口１１４を挟んで並んでいる。このようにして、第２開口１１４は、第１延伸部材１６４ａ及び第２延伸部材１６４ｂによって画定されている。
【００３２】
図１３に示すように、第１延伸部材１６４ａの上端は、第２延伸部材１６４ｂの上端よりも高い位置にある。より詳細には、図１３に示す例では、第２延伸部材１６４ｂの上端は、第１延伸部材１６４ａの下端よりも低い位置にある。このため、硬貨が第１延伸部材１６４ａ及び第２延伸部材１６４ｂを跨っても、硬貨は斜めに傾く。このため、硬貨が第１延伸部材１６４ａと第２延伸部材１６４ｂの間に留まることが抑制される。なお、紙幣は、複数の第１延伸部材１６４ａを跨って収受空間１１０内に位置する。これにより、紙幣が第２開口１１４を通過することが抑制される。
【００３３】
さらに、図１３に示すように、各延伸部材１６４の上端及びその近傍の幅は、延伸部材１６４の下端に向かうにつれて広がっている。図１３に示す例では、延伸部材１６４の断面形状は、丸みを帯びた三角形である。このため、硬貨が延伸部材１６４の上に載ったとしても、硬貨は水平方向から傾くようになる。このため、硬貨が延伸部材１６４の上に留まることが抑制される。
【００３４】
図１３に示す例では、現金処理装置１０は、検出部１５２、振動部１５４及び制御部１５６を備えている。検出部１５２は、第２開口１１４の近傍に硬貨が位置するか否かを検出する。検出部１５２は、例えば赤外線センサである。振動部１５４は、延伸部材１４４に振動を与える。振動部１５４は、例えばモータである。制御部１５６は、振動部１５４を制御している。制御部１５６は、例えば電子回路である。制御部１５６は、検出部１５２が硬貨を検出したときは、振動部１５４を動作させる。これにより、第２開口１１４の周辺に硬貨が留まっていたとしても、その硬貨を第２開口１１４の下に落とすことができる。
【００３５】
図１４〜図１６は、図１０〜図１３に示した現金処理装置１０の動作を説明するための図である。図１４に示すように、収受部１０２は、遮断部１６６及び押部１６８を有している。まず、図１４に示すように、遮断部１６６を案内路１６２内に位置させる。これにより、第１開口１１２と第３開口１１６は、遮断部１６６を挟んで互いに隔てられる。次いで、第１開口１１２を介して収受空間１１０内に硬貨Ｃ及び紙幣Ｂを投入する。これにより、硬貨Ｃは、第２開口１１４を通過する。これに対して、紙幣Ｂは、複数の延伸部材１６４を跨ってほぼ鉛直方向に立つ。本図に示す例では、紙幣Ｂは、紙幣Ｂの長辺が複数の延伸部材１６４に対向するように複数の延伸部材１６４上に載る。この場合、第３開口１１６は、遮断部１６６によって第１開口１１２から遮断されている。このため、第３開口１１６側に硬貨Ｃが投入されることが防止される。
【００３６】
次いで、図１５に示すように、押部１６８によって紙幣Ｂを第３開口１１６側に向けて押す。さらに、遮断部１６６を第３開口１１６側に向けて移動させる。これにより、紙幣Ｂは、案内路１６２内を移動する。
【００３７】
次いで、図１６に示すように、遮断部１６６は、第３開口１１６を挟んで案内路１６２の反対側まで移動する。紙幣Ｂは、第３開口１１６上まで移動する。次いで、紙幣Ｂを例えばローラによって第３開口１１６の内部に導入する。
【００３８】
本実施形態によれば、第１の実施形態と同様にして、収受空間１１０内の硬貨は、第２開口１１４を介して第１収容部１２０に収容される。これに対して、収受空間１１０内の紙幣は、第３開口１１６を介して第２収容部１３０に導入される。このため、収受空間１１０内に硬貨及び紙幣の双方を投入しても、硬貨及び紙幣を収容部１０４内に収容することができる。
【００３９】
なお、押部１６８および第２開口が案内部材１４０（例えば、図１〜図３）を形成しても良い。
【００４０】
（第３の実施形態）
図１７は、第３の実施形態に係る精算システムを示す図である。精算システムは、商品登録装置２０及び現金処理装置１０を備えている。本実施形態に係る現金処理装置１０は、第１の実施形態又は第２の実施形態に係る現金処理装置１０である。
【００４１】
商品登録装置２０は、商品の登録を行う。商品の登録は、例えば、スキャナにより商品の識別子（例えば、１次元コード又は２次元コード）を読み込むことにより行われる。
【００４２】
本図に示す例において、現金処理装置１０は、精算装置である。商品登録装置２０で登録された商品の精算処理を行う。具体的には、現金処理装置１０は、第１開口１１２（例えば、図１）から商品の代金を収受して、収受した代金を第１収容部１２０（例えば、図３）及び第２収容部１３０（例えば、図４）に収容する。さらに、現金処理装置１０は、お釣りを払い出す必要があるときは、第１収容部１２０（例えば、図３）又は第２収容部１３０（例えば、図４）からお釣りを外部に払い出す。
【００４３】
本実施形態によれば、硬貨及び紙幣を第１開口１１２（例えば、図１）に投入することができる。このため、現金処理装置１０のユーザ（例えば、小売店における店員又は顧客）は、硬貨用開口及び紙幣用開口のいずれに現金を投入すべきかを決定しなくても済むようになる。
【００４４】
以上、図面を参照して本発明の実施形態について述べたが、これらは本発明の例示であり、上記以外の様々な構成を採用することもできる。
【符号の説明】
【００４５】
１０  現金処理装置
２０  商品登録装置
１０２  収受部
１０４  収容部
１１０  収受空間
１１２  第１開口
１１４  第２開口
１１６  第３開口
１２０  第１収容部
１３０  第２収容部
１４０  案内部材
１４２  開口
１４４  延伸部材
１４４ａ  第１延伸部材
１４４ｂ  第２延伸部材
１５２  検出部
１５４  振動部
１５６  制御部
１６２  案内路
１６４  延伸部材
１６４ａ  第１延伸部材
１６４ｂ  第２延伸部材
１６６  遮断部
１６８  押部
【図１】
0006665619.tif 000002
【図２】
0006665619.tif 000003
【図３】
0006665619.tif 000004
【図４】
0006665619.tif 000005
【図５】
0006665619.tif 000006
【図６】
0006665619.tif 000007
【図７】
0006665619.tif 000008
【図８】
0006665619.tif 000009
【図９】
0006665619.tif 000010
【図１０】
0006665619.tif 000011
【図１１】
0006665619.tif 000012
【図１２】
0006665619.tif 000013
【図１３】
0006665619.tif 000014
【図１４】
0006665619.tif 000015
【図１５】
0006665619.tif 000016
【図１６】
0006665619.tif 000017
【図１７】
0006665619.tif 000018